(57)【要約】【課題】  不揮発性メモリのデータを容易に吸い上げることが可能になる制御装置を提供する。【解決手段】  マイコン１０と不揮発性メモリ２０とプリント配線板２とを備え、プリント配線板２には、不揮発性メモリ２０の電源端子２５，２６と電気的に接続された外部電源接続端子Ｔ５，Ｔ６と、不揮発性メモリ２０の端子とマイコン１０の端子とを接続するパターン配線Ｌ１〜Ｌ４に接続された外部接続端子Ｔ１〜Ｔ４とが形成されるとともに、パターン配線Ｌ１〜Ｌ４の途中に電気抵抗Ｒ１〜Ｒ４が搭載されており、電気抵抗Ｒ２は、読出し治具５の端子が外部接続端子Ｔ１〜Ｔ４と接続され、不揮発性メモリ２０からデータを読み出す際に、マイコン１０の端子１２が接地状態であったとしても、不揮発性メモリ２０の端子２２から出力されるデータの値を読出し治具５が判別可能とするための抵抗値であって、端子２２の定格出力電流に基づいて設定される抵抗値を有している。【選択図】  図１
2017028593.tif 000002
【特許請求の範囲】
【請求項１】
マイコンと、電気的にデータを書き換え可能な不揮発性メモリと、前記マイコンと前記不揮発性メモリとが搭載され、前記マイコンが前記不揮発性メモリに対してデータの読み出し及び書き込みを行うために前記不揮発性メモリの複数の各端子とマイコンの複数の各端子とを接続するパターン配線が形成された基板と、を備えた制御装置であって、
前記基板には、
前記不揮発性メモリの一対の電源端子の各々と電気的に接続され、外部電源から電源供給するための一対の外部電源接続端子と、
前記不揮発性メモリの端子と前記マイコンの端子とを接続する各々の前記パターン配線に接続された外部接続端子とが形成されるとともに、
前記外部接続端子と前記マイコンの端子との間の各々の前記パターン配線の途中に挿入されて接続された電気抵抗が搭載されており、
前記不揮発性メモリの端子のうちデータが出力される端子に接続されている前記パターン配線の途中に挿入された前記電気抵抗は、
前記不揮発性メモリのデータを読み出すための外部装置である読出し治具の端子が前記外部接続端子と接続され、前記読出し治具によって前記不揮発性メモリからデータを読み出す際に、当該電気抵抗に接続された前記マイコンの端子が接地状態であったとしても、前記不揮発性メモリから出力されて前記外部接続端子を介して前記読出し治具へ入力されるデータの値を前記読出し治具が判別可能とするための抵抗値であって、前記データが出力される前記不揮発性メモリの端子の定格出力電流に基づいて設定される抵抗値を有している、
制御装置。
【請求項２】
前記不揮発性メモリの端子のうち信号が入力される端子に接続されている前記パターン配線の途中に挿入された前記電気抵抗は、
前記読出し治具の端子が前記外部接続端子と接続され、前記読出し治具によって前記不揮発性メモリからデータを読み出す際に、当該電気抵抗に接続された前記マイコンの端子が接地状態であったとしても、前記読出し治具から出力されて前記外部接続端子を介して前記不揮発性メモリへ入力される信号の値を前記不揮発性メモリが判別可能とするための抵抗値であって、前記信号が出力される前記読出し治具の端子の定格出力電流に基づいて設定される抵抗値を有している、
請求項１に記載の制御装置。
【請求項３】
前記基板には、
前記不揮発性メモリの前記一対の電源端子のうちの高電位側の電源端子と電気的に接続される高電位側電源配線と、前記一対の電源端子のうちの低電位側の電源端子と電気的に接続され、前記高電位側電源配線との間に所定の直流電圧が印加される低電位側電源配線とが形成されており、
前記高電位側の電源端子と電気的に接続された前記外部電源接続端子から前記高電位側電源配線へ向かう電流を阻止する電流阻止手段が設けられた、
請求項１または２のいずれかに記載の制御装置。
【請求項４】
請求項１〜３のいずれかに記載の制御装置を備えた住宅設備機器。
【発明の詳細な説明】
【技術分野】
【０００１】
本発明は、不揮発性メモリを有する制御装置およびそれを備えた住宅設備機器に関する。
【背景技術】
【０００２】
従来、給湯器等の住宅設備機器や種々の機器において、その制御装置には、マイコンの他、電気的にデータを書き換え可能な不揮発性メモリが備えられていることが多い（例えば、特許文献１，２参照）。このような不揮発性メモリは、マイコンによってデータの読み出し及び書き込みが行われ、機器の使用状況に関するデータや機器の制御に関するデータ等が適宜保存されて蓄積されている。
【先行技術文献】
【特許文献】
【０００３】
【特許文献１】特開平１０−３２５６００号公報
【特許文献２】特開２００３−３２３２９８号公報
【発明の概要】
【発明が解決しようとする課題】
【０００４】
上記の制御装置において、それを備えている住宅設備機器が故障したときに、故障原因の究明等に不揮発性メモリに保存されているデータが有用となる場合がある。しかしながら、例えばマイコンが故障したり、制御装置への電源供給が停止した場合には、不揮発性メモリのデータを読み出すことができなくなる。例えば、マイコンと不揮発性メモリとが同一基板上に搭載されている場合、外部装置を用いて不揮発性メモリのデータを吸い上げるためには、不揮発性メモリを基板から取り外す、あるいは、不揮発性メモリを他の部品等と電気的に絶縁するために基板上の配線を切断するというような煩雑な作業が必要になる。このような作業は、ポッティング等によって樹脂で被覆された基板の場合にはより困難な作業となる。
【０００５】
本発明は上記のような課題を解決するためになされたもので、搭載されている不揮発性メモリのデータを容易に吸い上げることが可能になる制御装置およびそれを備えた住宅設備機器を提供することを目的としている。
【課題を解決するための手段】
【０００６】
上記目的を達成するために、本発明のある形態に係る制御装置は、マイコンと、電気的にデータを書き換え可能な不揮発性メモリと、前記マイコンと前記不揮発性メモリとが搭載され、前記マイコンが前記不揮発性メモリに対してデータの読み出し及び書き込みを行うために前記不揮発性メモリの複数の各端子とマイコンの複数の各端子とを接続するパターン配線が形成された基板と、を備えた制御装置であって、前記基板には、前記不揮発性メモリの一対の電源端子の各々と電気的に接続され、外部電源から電源供給するための一対の外部電源接続端子と、前記不揮発性メモリの端子と前記マイコンの端子とを接続する各々の前記パターン配線に接続された外部接続端子とが形成されるとともに、前記外部接続端子と前記マイコンの端子との間の各々の前記パターン配線の途中に挿入されて接続された電気抵抗が搭載されており、前記不揮発性メモリの端子のうちデータが出力される端子に接続されている前記パターン配線の途中に挿入された前記電気抵抗は、前記不揮発性メモリのデータを読み出すための外部装置である読出し治具の端子が前記外部接続端子と接続され、前記読出し治具によって前記不揮発性メモリからデータを読み出す際に、当該電気抵抗に接続された前記マイコンの端子が接地状態であったとしても、前記不揮発性メモリから出力されて前記外部接続端子を介して前記読出し治具へ入力されるデータの値を前記読出し治具が判別可能とするための抵抗値であって、前記データが出力される前記不揮発性メモリの端子の定格出力電流に基づいて設定される抵抗値を有している。
【０００７】
この構成によれば、外部接続端子が設けられているので、外部接続端子に読出し治具の端子を接続することで、基板から不揮発性メモリの取り外し等を行うことなく、不揮発性メモリのデータを容易に吸い上げることが可能になる。
【０００８】
前記不揮発性メモリの端子のうち信号が入力される端子に接続されている前記パターン配線の途中に挿入された前記電気抵抗は、前記読出し治具の端子が前記外部接続端子と接続され、前記読出し治具によって前記不揮発性メモリからデータを読み出す際に、当該電気抵抗に接続された前記マイコンの端子が接地状態であったとしても、前記読出し治具から出力されて前記外部接続端子を介して前記不揮発性メモリへ入力される信号の値を前記不揮発性メモリが判別可能とするための抵抗値であって、前記信号が出力される前記読出し治具の端子の定格出力電流に基づいて設定される抵抗値を有していてもよい。
【０００９】
前記基板には、前記不揮発性メモリの前記一対の電源端子のうちの高電位側の電源端子と電気的に接続される高電位側電源配線と、前記一対の電源端子のうちの低電位側の電源端子と電気的に接続され、前記高電位側電源配線との間に所定の直流電圧が印加される低電位側電源配線とが形成されており、前記高電位側の電源端子と電気的に接続された前記外部電源接続端子から前記高電位側電源配線へ向かう電流を阻止する電流阻止手段が設けられていてもよい。
【００１０】
この構成によれば、外部電源から外部電源接続端子を介して不揮発性メモリの一対の電源端子間に所定の直流電圧を供給する際に、電流阻止手段によって高電位側の外部電源接続端子から高電位側電源配線へ向かう電流を阻止でき、不揮発性メモリの一対の電源端子間に所定の直流電圧を正確に供給することができる。
【００１１】
本発明のある形態に係る住宅設備機器は、上記のいずれかに記載の制御装置を備えている。
【発明の効果】
【００１２】
本発明は、以上に説明した構成を有し、搭載されている不揮発性メモリのデータを容易に吸い上げることが可能になる制御装置およびそれを備えた住宅設備機器を提供することができるという効果を奏する。
【図面の簡単な説明】
【００１３】
【図１】図１は、本実施形態の制御装置の主要部の構成例を示す概念図である。
【図２】図２は、本実施形態の制御装置が用いられる住宅設備機器の一例を示す概略図である。
【発明を実施するための形態】
【００１４】
以下、好ましい実施の形態を、図面を参照しながら説明する。なお、本発明は、以下の実施形態に限定されない。
【００１５】
（実施形態）
図１は、本実施形態の制御装置の主要部の構成例を示す概念図であり、ここでは、説明に必要なもののみを図示している。また、図２は、本実施形態の制御装置が用いられる住宅設備機器の一例を示す概略図である。
【００１６】
図２に示す住宅設備機器では、給湯システムが例示されており、この給湯システムは、給湯器１００と、遠隔操作装置としての台所リモコン２００および風呂リモコン３００と、オプション機器４００とを有して構成されている。これらの給湯器１００、台所リモコン２００、風呂リモコン３００及びオプション機器４００は、２芯ケーブル５００により接続されている。
【００１７】
給湯器１００は、屋外または屋内の所定の場所に設置され、台所や浴槽等に湯水を供給する給湯機能や風呂の追い焚き機能を備えている。また、床暖房等の温水暖房機能を備えていてもよい。給湯器１００は、例えば、熱交換器、ガスまたは灯油を燃料として熱交換器を加熱する燃焼装置、熱交換器等に接続され湯水の流路となる配管、燃料配管及び各種センサなどが筺体内に収納されて構成されている。
【００１８】
台所リモコン２００は、台所に設置され、給湯器１００を遠隔操作する機能を有している。風呂リモコン３００は、浴室に設置され、給湯器１００を遠隔操作する機能を有している。ここでは、２つのリモコン２００，３００を例示しているが、これらと同様の機能を有するリモコンが１つだけあるいは３つ以上備えられた構成でもよい。
【００１９】
オプション機器４００は、例えば、太陽光発電システム等が設置されている場合に、その発電量等の情報を取得する測定ユニットである。このようなオプション機器４００で取得した情報は、２芯ケーブル５００を介してリモコン２００，３００へ送られ、リモコン２００，３００の表示部（後述）で表示されるようになっている。なお、オプション機器４００が無い構成でもよい。
【００２０】
給湯器１００，リモコン２００，３００及びオプション機器４００の各機器には、それぞれ、制御装置１０１，２０１，３０１，４０１を備えている。各制御装置１０１，２０１，３０１，４０１は、ＣＰＵ及びメモリ（ＲＡＭ及びＲＯＭ等）を有するマイコン（マイクロコントローラ）と、不揮発性メモリとを有している。各制御装置１０１，２０１，３０１，４０１のマイコンは、そのＣＰＵがＲＯＭ等のメモリに格納されているプログラムを実行することにより、それを備えている機器全体の動作を制御する。
【００２１】
給湯器１００の制御装置１０１では、２芯ケーブル５００を介して受信されるリモコン２００，３００から送信された給湯器の制御情報（詳細は後述）や、給湯器１００の各部に設けられた各種センサの検出データ等に基づいて、給湯器１００の動作を制御する。また、制御装置１０１は、給湯器１００の動作状況を監視し、所定時間ごとに現在の動作状況等を示す情報（例えば、燃焼装置の点火情報など）を生成し、それをリモコンの制御情報として２芯ケーブル５００を介してリモコン２００，３００へ送信する。
【００２２】
台所リモコン２００は、制御装置２０１、表示部及び操作部等を備えている。制御装置２０１は、台所リモコン２００全体の動作を制御する。表示部は、液晶等の表示画面及びＬＥＤ等を備え、制御装置２０１によって制御されて各種の情報を表示する。例えば、制御装置２０１は、給湯器１００から送信された前述のリモコンの制御情報（給湯器１００の現在の動作状況等を示す情報）に基づいて表示部にその情報等を表示させる。また、操作部は、給湯器１００を遠隔操作するための各種操作スイッチ等を備え、使用者の操作に応じた操作信号を制御装置２０１へ入力し、制御装置２０１は、操作信号に応じた給湯器の制御情報を生成し、この給湯器の制御情報を２芯ケーブル５００を介して給湯器１００へ送信する。
【００２３】
なお、風呂リモコン３００は、制御装置３０１、表示部及び操作部等を備え、台所リモコン２００と同様の構成であるので、その説明を省略する。
【００２４】
また、給湯器１００には、電源装置が内蔵されている。この電源装置は、外部交流電源（商用電源）から供給される交流電圧を給湯器１００の内部機器等で用いる種々の電圧に変換して出力するよう構成されている。この電源装置で変換された直流電圧は、給湯器１００内の制御装置１０１等へ供給されるとともに、２芯ケーブル５００を介してリモコン２００，３００及びオプション機器４００へも供給される。よって、前述の各機器（１００，２００，３００，４００）から２芯ケーブル５００を介して送信される情報は、給湯器１００の電源装置から２芯ケーブル５００へ出力される直流電圧に重畳されて送信される。
【００２５】
各機器の制御装置１０１，２０１，３０１，４０１の各々に、図１に示す本実施形態の制御装置１を適用することができる。
【００２６】
この制御装置１は、絶縁性基板にパターン配線が形成されたプリント配線板（基板）２に、ＣＰＵ及びメモリ（ＲＡＭ及びＲＯＭ等）を有するマイコン（マイクロコントローラ）１０と不揮発性メモリ２０などの電子部品が実装されて構成されている。ここでは、まず、二点鎖線で示されたコネクタ６及びパターン配線Ｌ１１〜Ｌ１６が設けられていない構成について説明する。
【００２７】
不揮発性メモリ２０は、ＥＥＰＲＯＭ等の電気的にデータを書き換え可能な記憶装置であり、マイコン１０によってデータの書き込み及びデータの読出しが行われる。
【００２８】
例えば、制御装置１が、給湯器１００の制御装置１０１である場合には、不揮発性メモリ２０には、通電時間、燃焼時間、燃焼回数、過去の故障履歴等の機器の使用状況に関するデータや、給湯設定温度、風呂設定温度、風呂設定水位などの機器の制御に関するデータ等が記憶される。また、制御装置１が、リモコン２００，３００の制御装置２０１，３０１である場合には、不揮発性メモリ２０には、操作履歴のデータ等が記憶される。また、制御装置１が、オプション機器４００の制御装置４０１である場合には、不揮発性メモリ２０には、発電量等の測定情報の積算値のデータ等が記憶される。
【００２９】
マイコン１０と不揮発性メモリ２０とは、抵抗Ｒ１〜Ｒ４を介してパターン配線Ｌ１〜Ｌ４によって接続されている。具体的には、パターン配線Ｌ１によって、抵抗Ｒ１を介してマイコン１０のＤＯ端子（データ出力端子）１１と不揮発性メモリ２０のＤＩ端子（データ入力端子）２１とが接続されており、パターン配線Ｌ２によって、抵抗Ｒ２を介してマイコン１０のＤＩ端子１２と不揮発性メモリ２０のＤＯ端子２２とが接続されている。また、パターン配線Ｌ３によって、抵抗Ｒ３を介してマイコン１０のクロック出力端子１３と不揮発性メモリ２０のクロック入力端子２３とが接続されており、パターン配線Ｌ４によって、抵抗Ｒ４を介してマイコン１０のチップセレクト信号出力端子１４と不揮発性メモリ２０のチップセレクト信号入力端子２４とが接続されている。
【００３０】
また、不揮発性メモリ２０の各端子２１〜２４と抵抗Ｒ１〜Ｒ４とを接続するパターン配線Ｌ１〜Ｌ４の途中に、ランド（導体パターン）で構成された外部接続端子Ｔ１〜Ｔ４が設けられている。
【００３１】
そして、マイコン１０の高電位側電源端子１５（以下、単に電源端子１５という）が電源ライン（高電位側電源配線）ＬＶに接続され、低電位側電源端子であるグラウンド端子１６がグラウンドライン（低電位側電源配線）ＬＧに接続されている。また、電源端子１５とグラウンド端子１６との間にバイパスコンデンサＣ２が接続されている。
【００３２】
また、不揮発性メモリ２０の高電位側電源端子２５（以下、単に電源端子２５という）はダイオードＤ１を介してパターン配線Ｌ７によって電源ラインＬＶに接続され、低電位側電源端子であるグラウンド端子２６はグラウンドラインＬＧに接続されている。また、電源端子２５とグラウンド端子２６との間にバイパスコンデンサＣ１が接続されている。
【００３３】
また、ランド（導体パターン）で構成された外部接続端子Ｔ５，Ｔ６が設けられ、不揮発性メモリ２０の電源端子２５がパターン配線Ｌ５によって外部接続端子Ｔ５と接続され、グラウンド端子２６がパターン配線Ｌ６によって外部接続端子Ｔ６と接続されている。
【００３４】
例えば、プリント配線板２の表面側に、マイコン１０、不揮発性メモリ２０、バイパスコンデンサＣ１，Ｃ２、抵抗Ｒ１〜Ｒ４、外部接続端子Ｔ１〜Ｔ６及びダイオードＤ１等が設けられており、プリント配線板２の裏面側に、パターン配線Ｌ１〜Ｌ７、電源ラインＬＶ及びグラウンドラインＬＧ等が設けられている。そして、プリント配線板２の表面側の全面に、透明な樹脂でポッティングが施されていてもよい。
【００３５】
この制御装置１を備えた機器が正常で、通常に使用されているときには、外部接続端子Ｔ１〜Ｔ６には何も接続されない。
【００３６】
この場合、マイコン１０が不揮発性メモリ２０にデータを書き込むときには、チップセレクト信号出力端子１４から出力するチップセレクト信号をアクティブにするとともにクロック出力端子１３からクロック信号を出力し、ＤＯ端子１１から書き込み命令、書き込みアドレス、書き込むデータを順次出力して、不揮発性メモリ２０のＤＩ端子２１へ入力することにより、不揮発性メモリ２０にデータが書き込まれる。
【００３７】
一方、マイコン１０が不揮発性メモリ２０からデータを読み出すときには、チップセレクト信号出力端子１４から出力するチップセレクト信号をアクティブにするとともにクロック出力端子１３からクロック信号を出力し、ＤＯ端子１１から読出し命令、読出しアドレスを順次出力することにより、不揮発性メモリ２０のＤＯ端子２２から読み出されるデータが順次出力され、マイコン１０のＤＩ端子１２へ入力される。
【００３８】
また、この制御装置１を備えた機器が故障した場合に、例えば故障した機器を新しい機器と取り換えた後、故障した機器の不揮発性メモリ２０の記憶データを読み出して故障原因を究明したい場合がある。また、制御装置１のマイコン１０等が故障した場合に、制御装置１を新しいものと入れ替えた後、古い制御装置１の不揮発性メモリ２０の記憶データを新しい制御装置の不揮発性メモリへ移したい場合がある。
【００３９】
このような場合には、本実施形態では、不揮発性メモリ２０の記憶データを読み出すことができるように構成された外部装置であるメモリ読出し治具５を用いて、次のようにして不揮発性メモリ２０の記憶データを取得することができる。この際、制御装置１をこれが備えられている機器から取り外した後、メモリ読出し治具５を用いて、このメモリ読出し治具５に備えられている端子であるコンタクトプローブ（以下、単に「プローブ」という）Ｐ１〜Ｐ６を、それぞれ対応する外部接続端子Ｔ１〜Ｔ６に接続（コンタクト）する。このとき、制御装置１の表面（プリント配線板２の表面）に、透明な樹脂を用いたポッティングが施されてあっても、その樹脂を貫通させてプローブＰ１〜Ｐ６を外部接続端子Ｔ１〜Ｔ６に接続することは容易である。ここでは、プローブＰ１，Ｐ２，・・・，Ｐ６がそれぞれ外部接続端子Ｔ１，Ｔ２，・・・，Ｔ６に対応するものとする。なお、２つの外部接続端子Ｔ５，Ｔ６が外部電源接続端子である。
【００４０】
メモリ読出し治具５は、プローブＰ５，Ｐ６を接続した外部接続端子Ｔ５，Ｔ６を介して不揮発性メモリ２０の電源端子２５，２６間に所定の直流電圧を供給する。なお、外部接続端子Ｔ５，Ｔ６には、メモリ読出し治具５とは異なる他の電源装置から所定の直流電圧が供給されるようにしてもよい。
【００４１】
そして、メモリ読出し治具５は、プローブＰ４を接続した外部接続端子Ｔ４を介してチップセレクト信号入力端子２４へ出力するチップセレクト信号をアクティブにするとともに、プローブＰ３を接続した外部接続端子Ｔ３を介してクロック入力端子２３へクロック信号を出力し、プローブＰ１を接続した外部接続端子Ｔ１を介してＤＩ端子２１へ読出し命令、読出しアドレスを順次出力することにより、不揮発性メモリ２０のＤＯ端子２２から順次出力されるデータを、プローブＰ２を接続した外部接続端子Ｔ２を介して取得する（すなわち、不揮発性メモリ２０の記憶データを読み出す）。
【００４２】
このメモリ読出し治具５は、読み出した不揮発性メモリ２０の記憶データを内部メモリに記憶することができる。また、メモリ読出し治具５は、ＵＳＢメモリ等の外部メモリを接続することができ、読み出した不揮発性メモリ２０の記憶データをＵＳＢメモリ等に記憶させることもできる。
【００４３】
本実施形態では、外部接続端子Ｔ１〜Ｔ６が設けられているので、外部接続端子Ｔ１〜Ｔ６にメモリ読出し治具５のプローブＰ１〜Ｐ６を接続することで、プリント配線板２から不揮発性メモリ２０の取り外し等を行うことなく、不揮発性メモリ２０の記憶データを容易に吸い上げることが可能になる。
【００４４】
また、本実施形態では、不揮発性メモリ２０の電源端子２５と外部接続端子Ｔ５とを接続するパターン配線Ｌ５と電源ラインＬＶとの間に、電源ラインＬＶ側がアノード、パターン配線Ｌ５側がカソードとなるようにダイオードＤ１を接続している。これにより、メモリ読出し治具５から外部接続端子Ｔ５，Ｔ６を介して不揮発性メモリ２０の端子２５，２６間に所定の直流電圧を供給する際に、ダイオードＤ１（電流阻止手段）によって外部接続端子Ｔ５から電源ラインＬＶへ向かう電流を阻止でき、端子２５，２６間に所定の直流電圧を正確に供給することができる。
【００４５】
また、本実施形態では、不揮発性メモリ２０の端子２１〜２４と電気的に接続されるマイコン１０の端子１１〜１４と外部接続端子Ｔ１〜Ｔ４との間に、抵抗Ｒ１〜Ｒ４を接続している。前述のようにメモリ読出し治具５を用いて不揮発性メモリ２０の記憶データを読み出すために、メモリ読出し治具５あるいは不揮発性メモリ２０から外部接続端子Ｔ１〜Ｔ４へ信号（電圧）が与えられたときに、抵抗Ｒ１〜Ｒ４によって、マイコン１０へ流入する電流を軽減し、読出し動作を正確に行う（すなわち、不揮発性メモリ２０から記憶データを正確に読み出す）ことができる。
【００４６】
ここで、各抵抗Ｒ１〜Ｒ４の抵抗値について説明する。各抵抗Ｒ１〜Ｒ４の抵抗値をｒ１〜ｒ４とする。また、メモリ読出し治具５の内部電源電圧をＶｏとすれば、メモリ読出し治具５を用いて不揮発性メモリ２０の記憶データを読み出す際、メモリ読出し治具５の内部電源電圧Ｖｏが不揮発性メモリ２０の端子２５，２６間に印加される。
【００４７】
まず、不揮発性メモリ２０のＤＯ端子２２と電気的に接続される抵抗Ｒ２について説明する。
【００４８】
不揮発性メモリ２０のＤＯ端子２２から出力される信号（記憶データ）については、メモリ読出し治具５において、その信号がＨレベルかＬレベルかを正しく判別できなければならない。メモリ読出し治具５では、ＤＯ端子２２に接続された外部接続端子Ｔ２の信号電位ＶＴ２を予め定められたしきい値電位Ｖｈｊと比較し、しきい値電位Ｖｈｊ以上であればＨレベル（値が１）と判別し、しきい値電位Ｖｈｊ未満であればＬレベル（値が０）と判別するよう構成されている。
【００４９】
不揮発性メモリ２０のＤＯ端子２２の出力インピーダンス（Ｒ２２）の値をｒ２２とし、外部接続端子Ｔ２に接続されるメモリ読出し治具５のプローブＰ２の入力インピーダンスは抵抗Ｒ２の抵抗値ｒ２と比較して非常に大きく、仮にマイコン１０のＤＩ端子１２が接地電位の状態であるとする。
【００５０】
ここで、不揮発性メモリ２０のＤＯ端子２２からＨレベルの信号が出力された場合には、出力インピーダンスＲ２２と抵抗Ｒ２との直列回路の両端に電源電圧Ｖｏが印加された状態であると考えることができる。そして、このときの出力インピーダンスＲ２２と抵抗Ｒ２との接続点の電位（ＶＴ２Ｈ）が外部接続端子Ｔ２の電位ＶＴ２となり、この電位ＶＴ２ＨがプローブＰ２からメモリ読出し治具５へ入力される信号電位となる。メモリ読出し治具５において、このときに入力される信号電位ＶＴ２ＨがＨレベルと判別されるためには、
ＶＴ２Ｈ≒Ｖｏ×ｒ２／（ｒ２＋ｒ２２）≧Ｖｈｊ
となるように、抵抗Ｒ２の抵抗値ｒ２を定めればよい。
【００５１】
ここで、電源電圧Ｖｏ及びしきい値電位Ｖｈｊは所与の値であるので、抵抗Ｒ２の抵抗値ｒ２は、不揮発性メモリ２０のＤＯ端子２２の出力インピーダンスＲ２２の値ｒ２２に応じて定めることができる。言い換えれば、抵抗Ｒ２の抵抗値ｒ２は、不揮発性メモリ２０のＤＯ端子２２の定格出力電流に基づいて定めることができる。
【００５２】
次に、不揮発性メモリ２０の端子２１，２３，２４と電気的に接続される抵抗Ｒ１，Ｒ３，Ｒ４について説明する。
【００５３】
メモリ読出し治具５から不揮発性メモリ２０の端子２１，２３，２４へ入力される信号については、不揮発性メモリ２０において、その信号がＨレベルかＬレベルかを正しく判別できなければならない。不揮発性メモリ２０では、各端子２１，２３，２４へ入力される信号電位を予め定められたしきい値電位Ｖｈｍと比較し、しきい値電位Ｖｈｍ以上であればＨレベル（値が１）と判別し、しきい値電位Ｖｈｍ未満であればＬレベル（値が０）と判別するよう構成されている。
【００５４】
例えば、抵抗Ｒ１に関しては、メモリ読出し治具５のプローブＰ１から外部接続端子Ｔ１を介して不揮発性メモリ２０のＤＩ端子２１へ入力される信号について考える。
【００５５】
メモリ読出し治具５のプローブＰ１の出力インピーダンス（ＲＰ１）の値をｒＰ１とし、不揮発性メモリ２０のＤＩ端子２１の入力インピーダンスは抵抗Ｒ１の抵抗値ｒ１と比較して非常に大きく、仮にマイコン１０のＤＯ端子１１が接地電位の状態であるとする。
【００５６】
ここで、メモリ読出し治具５のプローブＰ１からＨレベルの信号が出力された場合には、出力インピーダンスＲＰ１と抵抗Ｒ１との直列回路の両端に電源電圧Ｖｏが印加された状態であると考えることができる。そして、このときの出力インピーダンスＲＰ１と抵抗Ｒ１との接続点の電位（ＶＴ１Ｈ）が外部接続端子Ｔ１の電位ＶＴ１となり、この電位ＶＴ１Ｈが不揮発性メモリ２０のＤＩ端子２１へ入力される信号電位となる。不揮発性メモリ２０において、このときに入力される信号電位ＶＴ１ＨがＨレベルと判別されるためには、
ＶＴ１Ｈ≒Ｖｏ×ｒ１／（ｒ１＋ｒＰ１）≧Ｖｈｍ
となるように、抵抗Ｒ１の抵抗値ｒ１を定めればよい。
【００５７】
ここで、電源電圧Ｖｏ及びしきい値電位Ｖｈｍは所与の値であるので、抵抗Ｒ１の抵抗値ｒ１は、メモリ読出し治具５のプローブＰ１の出力インピーダンスＲＰ１の値ｒＰ１に応じて定めることができる。言い換えれば、抵抗Ｒ１の抵抗値ｒ１は、メモリ読出し治具５のプローブＰ１の定格出力電流に基づいて定めることができる。
【００５８】
この抵抗Ｒ１の抵抗値ｒ１の場合と同様にして、抵抗Ｒ３，Ｒ４の抵抗値ｒ３，ｒ４を定めることができる。
【００５９】
また、各抵抗Ｒ１〜Ｒ４には抵抗値が同一のものを用いることで、用いる抵抗の種類を１つにすることができる。
【００６０】
なお、抵抗Ｒ１，Ｒ３，Ｒ４の抵抗値に比較して不揮発性メモリ２０の端子２１，２３，２４の入力インピーダンスが非常に大きく、また、抵抗Ｒ２の抵抗値に比較してマイコン１０の端子１２の入力インピーダンスが非常に大きくなっている。そのため、制御装置１の通常動作時において、マイコン１０が不揮発性メモリ２０に対してデータの読出し及び書き込みを行う際に、抵抗Ｒ１〜Ｒ４を設けていることは問題とならない。
【００６１】
本実施形態において、外部接続端子Ｔ１〜Ｔ６に代えて、コネクタ６を設けてもよい。この場合、例えば、外部接続端子Ｔ１〜Ｔ６が設けられる部分のパターン配線Ｌ１〜Ｌ６と、コネクタ６とを接続するための、パターン配線Ｌ１１〜Ｌ１６を形成するようにしてもよい。この場合、例えば、パターン配線Ｌ１〜Ｌ６がプリント配線板２の裏面側に形成され、パターン配線Ｌ１１〜Ｌ１６がプリント配線板２の表面側に形成され、同じく表面側にコネクタ６が設けられるようにしてもよい。
【００６２】
なお、本実施形態では、不揮発性メモリ２０にシリアル型のものを用いているが、パラレル型のものを用いた場合には、それに応じたメモリ読出し治具を用いればよい。
【００６３】
本実施形態の制御装置１を備えた住宅設備機器の例としては、前述のように、給湯器１００、リモコン２００，３００及びオプション機器４００の他、例えば、給湯器１００が温水暖房機能を備えている場合に、給湯器１００に接続された床暖房装置や浴室暖房乾燥機等を挙げることができる。また、これらに限らず、マイコンと不揮発性メモリとが同一基板上に搭載された制御装置１を備えた機器であればよい。
【００６４】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６５】
本発明は、搭載されている不揮発性メモリのデータを容易に吸い上げることが可能になる制御装置およびそれを備えた住宅設備機器等として有用である。
【符号の説明】
【００６６】
１  制御装置
２  プリント配線板
５  メモリ読出し治具
６  コネクタ
１０  マイコン
１１〜１６  マイコンの端子
２０  不揮発性メモリ
２１〜２６  不揮発性メモリの端子
Ｄ１  ダイオード
Ｌ１〜Ｌ７  パターン配線
Ｔ１〜Ｔ６  外部接続端子
ＬＶ  電源ライン
ＬＧ  グラウンドライン
【図１】
2017028593.tif 000003
【図２】
2017028593.tif 000004